(57)【要約】      （修正有）【課題】シリコンゴム、ブタジエン等の合成ゴムおよび天然ゴムをガンマー線放射ラジウム鉱石パウダーを添加することで架橋できる、ガンマー線放射ゴム成形物の提供。【解決手段】合成ゴムまたは天然ゴム１００重量部に対し、グラムあたり２００から１０００ベクレルのラジウム鉱石パウダーを１５〜１００重量部を混合して加硫させてなり、ガンマー線測定器の接触時のガンマー線放射量が３〜２０mSV/yであることを特徴とし、医療用ゴムサポータとして利用されると、ゴムサポート部分から３〜２０mSV/yのガンマー線が放射され、照射部位の体温が向上し、血流を増進するとともに、ガンマー線殺菌による抗菌性を発揮する。【選択図】図１
2017203099.tif 000002
【特許請求の範囲】
【請求項１】
合成ゴムまたは天然ゴム１００重量部に対し、グラムあたり２００から１０００ベクレルのラジウム鉱石パウダーを１５〜１００重量部を混合して加硫させてなり、ガンマー線測定器の接触時のガンマー線放射量が少なくとも３〜２０mSV/yであることを特徴とするガンマー線放射ゴム成形物。
【請求項２】
ゴム組成物製品がシート状であり、総ガンマー線放射量を積層数及び面積により３〜２０の倍数mSV/yに調整可能である請求項１記載のガンマー線放射ゴム組成物。
【請求項３】
請求項１又は２記載のゴム組成を有する身体湿布材。
【請求項４】
請求項１又は２記載のゴム組成を有する医療用サポータ。
【請求項５】
請求項１又は２記載のゴム組成を有する糸及びそれを織り込んだ布からなる寝装品。
【請求項６】
請求項１又は２記載のゴム組成を有する靴中敷を含む履物内装物。
【発明の詳細な説明】
【技術分野】
【０００１】
この発明は、ゴム製品の加硫剤としてガンマー線放射パウダーを用いてゴム成分を架橋すると、ガンマー線の医療利用が図れるゴム成形物及びその用途に関するものである。  
【背景技術】
【０００２】
従来、ゴム製品の加硫とは一般にゴムの熱硬化のことを加硫／架橋と呼び、加硫とは、生ゴムに硫黄を混ぜ合わせた上で加熱する事により引き起こる化学反応で、ゴムの分子鎖同士の一部分を硫黄が結合させる編み目状の構造になることをいう。この化学反応を経て、ゴムは強靱な弾性と安定した耐熱性を持つようになる。一般に「架橋」の意味も「加硫」と同じ意味で用いられるが、硫黄以外の有機過酸化物や金属酸化物、有機アミン化合物などを使用して分子結合させることを「架橋」と呼ぶ。このゴム弾性を得るための架橋方法は多種多様で網目状の分子結合の配列の中に架橋部分をつくることにより、液状のように柔らかい物質からエボナイトのように堅い物質まで幅広い弾性物をつくることができる。
【０００３】
かかるゴム製品の一つとして各種医療用湿布材又は各種身体部位の医療用サポータが提案され、かかる湿布材又はサポータの場合、支持材としてゴム質の弾性材が用いられる。そこで、かかるゴム材料に各種加硫剤とともにウラン系列核種元素又はトリウム系列核種元素を含むジルコニウム鉱石粉末を充填し、ラドン温泉又はラジウム温泉と同様な医療効果を求めるもの（特許文献１）、北投石粉末と磁石粉末を充填し、これらを成形してベルト部を形成する健康器具とするもの（特許文献２）、各種サポータにキトサンを有効成分とする抗菌剤を塗布して抗菌性を持たせた衣服等（特許文献３）が提案されている。
【先行技術文献】
【特許文献】
【０００４】
【特許文献１】特開２００７−２０９４４１号
【特許文献２】実用新案登録第３２０１６１８号
【特許文献３】特開２００７−５００７９８号
【発明の開示】
【発明が解決しようとする課題】
【０００５】
ところで、かかる医療器具をゴム組成物で製造するにはゴム成分に各種賦形剤及び加硫剤が添加されるところ、この付形剤としてガンマー線放射鉱石パウダーを用い、ガンマー線の放射量を充填量で制御してやると、ゴム成分を所望の硬度で、均等に加硫させることができるとともに、医療効果に優れたガンマー線放射量を有するゴム成形物が形成されることを見出した。したがって、本発明の課題は加硫剤としてラジウム鉱石パウダーを用いて加硫されたゴム成形物を提供することにある。
【課題を解決するための手段】
【０００６】
本発明はシリコンゴム、ブタジエン等の合成ゴムおよび天然ゴムをガンマー線放射パウダーで架橋できることに着目してなされたもので、合成ゴムまたは天然ゴム１００重量部に対し、グラムあたり２００から１０００ベクレルのガンマー線放射鉱石パウダーを１５〜１００重量部を混合して加硫させ、ガンマー線測定器の接触時の放射線量を3〜２０ mSV/yとすることを特徴とするガンマー線放射ゴム成形物およびそれを用いる用途にある。
【発明の効果】
【０００７】
本発明のゴム成形物は放射ガンマー線を有効利用するゴム製品に広く利用することができ、医療用ゴムサポータ又は湿布材として利用されると、ゴムサポート部分から３〜２０mSV/yのガンマー線が放射され、照射部位の血流を増進する。また、ガンマー線による抗菌効果を発揮することができる。したがって、身体の所要箇所に本発明に係るゴム成形物を適用すると、ガンマー線による抗菌効果を発揮するとともに、照射部位の血流を増進することができ、両作用の相乗効果を発揮する。よって、身体の所要箇所に貼り設ける湿布材、身体部位を取り巻くサポータ等、その組成物を糸状に成形し、それを織り込んだ寝具等の寝装品及び靴中敷等履物内装品などの血流増進と抗菌消臭機能を必要とする医療用途に優れる。
【図面の簡単な説明】
【０００８】
【図１】本発明で用いるガンマー線放射鉱石パウダーの成分と測定結果を示す表である。
【発明を実施するための形態】
【０００９】
以下、本発明について更に詳しく説明する。
【実施例１】
【００１０】
ゴルフボールの弾性コア材としては、例えば、ポリブタジエン、ポリイソプレン、天然ゴム、シリコーンゴムを主成分とする基材ゴムを主材とするゴム組成物から形成することができる。
【００１１】
ゴム組成物中には、従来、上記基材ゴム以外に公知の配合成分、例えば、架橋剤としてメタクリル酸亜鉛、アクリル酸亜鉛等の不飽和脂肪酸の亜鉛塩、マグネシウム塩やトリメチルプロパンメタクリレート等のエステル化合物などを配合することができるが、ガンマー線放射鉱石パウダーにより調整されるガンマー線の放射量と所望のゴム弾性を考慮して決定する。ガンマー線放射鉱石パウダーの配合量は、上記基材ゴム１００重量部に対し、通常１５重量部以上１００重量部、特に２５重量部以上、上限として５０重量部、が好ましい。
【００１２】
ゴム組成物の好適な実施態様の一例を以下に示す。
実施例 
医療用粘着テープまたはシートとして、シリコンゴム又はブタジエンゴム１００重量部にグラムあたり５０から２００ベクレルのラジウム鉱石パウダー１５から１００重量部配合して混合してガンマー線放射量３から２０mSV/yのシートを製造する。
【００１３】
この発明の医療用粘着テープまたはシートを絆創膏として用いた場合の一実施の形態を示し、基材フィルム上に粘着剤層を積層して構成される。
ここにおいて、この発明で使用する基材フィルムは、スチレン系熱可塑性ゴム、ジエン系熱可塑性ゴムの１種又は２種以上とポリエチレン樹脂とを主ポリマーとするが、この発明の基材フィルムの好適例としては、１、２ポリブタジエン熱可塑性ゴム９０重量部〜５０重量部に低密度ポリエチレン樹脂１０重量部〜５０重量部をポリマーブレンドして得たフィルムがあげられる。このような基材フィルム１は延伸配向性がなく、しかもある程度の剛性を有するため、しわやカールが少なく例えば絆創膏等の用途の基材として最適である。
【００１４】
次に、基材フィルムの片面に粘着剤層を形成するための粘着剤としては、例えば，天然ゴム又は合成ゴム系粘着剤系の粘着剤があげられる。この粘着剤には１５から１００重量部のラジウム鉱石パウダーを配合してシート状に成形することにより製造することができる。
【００１５】
合成ゴムＪＳＲ  ＲＢ８３０  ８０重量部とポリエチレン樹脂  ２０重量部と、グラムあたり５００ベクレルのラジウム鉱石パウダー５０重量部をポリマーブレンドしてフィルム状に加工し基材フィルムとした。得られたフィルム厚さは７０μｍであった。次に、合成ゴムＪＳＲ  ＲＢ８３０  １００重量部と、グラムあたり５００ベクレルのガンマー線放射鉱石パウダー５０重量部をブレンドしてゴム系粘着剤を調整し、この基材フィルムの片面上に塗工し、この粘着面上にシリコーン離型層を有するポリプロピレンフィルム（１００μｍ）を貼り付けた後、材型加工し長さ７．５ｃｍ、幅２．０ｃｍの絆創膏状の粘着フィルムを得た。
この粘着フィルムは３mSV/yのラジウム線放射量が得られ、これを積層することにより積層数に比例して３×積層数のガンマー線照射を得ることができ、皮膚表面の殺菌滅菌だけでなく、ガンマー線により体内の温度が向上し、血流の向上が見られるという相乗効果が得られる。
【図１】
2017203099.tif 000003